(57)【要約】      （修正有）【課題】安価に形成できると共に、比較的通気効果が高く、しかも指圧的効果をも付与し得る靴内空気排気具を提供する。【解決手段】靴内空気を吸排気する弾性吸盤１と、該吸盤と連通して空気を排出する足の指の間に挟持する可とう性パイプ２と、該可とう性パイプを足に固定するバンド３と、を具備する。歩行中吸盤の押圧を繰り返すことによって、靴内空気を脱気し、足の指の間にパイプを挟持することによって指圧的効果も高められる。【選択図】図１
0003119753.tif 000002
【実用新案登録請求の範囲】
【請求項１】
靴内空気を吸排気する弾性吸盤と、該吸盤と連通して空気を排出する足の指の間に挟持する可とう性パイプと、該可とう性パイプを足に固定するバンドと、を具備したことを特徴とする靴内空気排気具。
【請求項２】
前記可とう性パイプは、足の親指と人差し指との間に挟持する請求項１記載の排気具。
【請求項３】
前記可とう性パイプ外周は、植毛されている請求項１又は２記載の排気具。
【請求項４】
前記可とう性パイプは、断面横長の板状に形成されている請求項１〜３のいずれか記載の排気具。
【請求項５】
前記弾性吸盤には、吸盤内の空気は排出するが、外気の流入は阻止する逆止弁が配設されている請求項１〜４のいずれかに記載の排気具。
【請求項６】
前記逆止弁は、前記吸盤内に排気を阻止するように配設したシートを、交差する切断線で切断した形状に形成されている請求項５に記載の排気具。
【請求項７】
前記逆止弁は、前記吸盤内に排気を阻止するように配設したシートに開口を形成し、該開口の上面からシート状弁体を、吸盤内の空気は排出するが、吸盤内への空気の流入は阻止するように設けることにより形成している請求項５に記載の排気具。
【請求項８】
前記吸盤側壁には開口を設け、該開口内周面にはシート状弁体を、靴内空気は流入するが、排気は阻止するように設ける請求項１〜７のいずれかに記載の排気具。
【請求項９】
前記バンドの足の土踏まず部当接部には、可とう性凹状体の開口部が位置するように、該凹状体が固定されている請求項１〜７のいずれかに記載の排気具。
【請求項１０】
前記バンドの足の土踏まず部当接部には、磁石の同極同士が対向反発する磁石が、該磁石同士が接触且つ離間し得るように固定若しくは埋設されている請求項９に記載の空気排気具。
【請求項１１】
前記凹状体の底面は凸状に膨出した形状とし、該膨出部にロッドを立設した一方の磁石を固定し、該ロッドに嵌合する貫通孔を形成した他方の磁石を嵌合して若干離間した状態で、両磁石が接触且つ離間し得るように固定する請求項１０記載の空気排気具。
【考案の詳細な説明】
【技術分野】
【０００１】
この考案は、靴内部の通気性を良好にし蒸れを防止することによって、足の発汗による悪臭と水虫等の発生を予防すると共に指圧的効果をも付与する靴内空気排気具に関する。
【背景技術】
【０００２】
靴の靴底部本体は、通気性の芳しくない素材で形成されていることから、四季を問わず長時間の履用中に足からの発汗等により靴の内部は、高温、多湿状態になる。従って、足は極めて蒸れ易い状態となり履用者にとっては極めて履き心地が悪く、不快感を抱かせるほか、水虫等の雑菌の繁殖原因にもなっている。そればかりか、汗及び雑菌等の繁殖により不快な臭いが発生しやすい問題があった。
【０００３】
このような問題点を解消するため種々の工夫を凝らした靴が提案されているが、比較的効果が低いとか、コストアップの要因となる等の理由から、未だ十分満足すべきものではなかった。
【考案の開示】
【考案が解決しようとする課題】
【０００４】
この考案は、このような問題点を解消しようとするものであり、安価に形成できると共に、比較的通気効果が高く、しかも指圧的効果をも付与し得る靴内空気排気具を提供することを目的とする。
【課題を解決するための手段】
【０００５】
上記目的に沿う本考案の構成は靴内空気を吸排気する弾性吸盤と、該吸盤と連通して空気を排出する足の指の間に挟持する可とう性パイプと、該可とう性パイプを足に固定するバンドと、を具備したことを特徴とする。
【０００６】
可とう性パイプは、足の親指と人差し指との間に挟持するのが、指圧的効果が優れていることから特に好ましい（請求項２）。指圧効果が得られるのは、下駄の鼻緒と同じ原理であるが、パイプ外周に植毛すると更に指圧的効果が高められる。
【０００７】
前記可とう性パイプは、断面横長の板状に形成するのがパイプ内の空気量を少なくできることと、靴下を履いても目立たないことから好ましい（請求項３）。
【０００８】
前記弾性吸盤には、吸盤内の空気は排出するが、外気の流入は阻止する逆止弁を配設するのが、靴内の空気を効果的に排出し得ることから好ましい（請求項４）。
【０００９】
前記逆止弁は、前記吸盤内に排気を阻止するように配設したシートを交差する切断線で切断した形状に形成するのが安価に形成できることから好ましい（請求項５）。
【００１０】
前記逆止弁は、前記吸盤内に排気を阻止するように配設したシートに開口を形成し、該開口の上面からシート状弁体を、吸盤内の空気は排出するが、吸盤内への空気の流入は阻止するように設けることもできる（請求項６）。
【００１１】
前記吸盤側壁には開口を設け、該開口内周面にはシート状弁体を、靴内空気は流入するが、排気は阻止するように設けるのが好ましい（請求項７）。  
前記バンドの足の土踏まず部当接部には、可とう性凹状体の開口部が位置するように、該凹状体を固定するのが更に優れた指圧的効果が付与できる（請求項８）。
【００１２】
前記バンドの足の土踏まず部当接部には、磁石の同極同士が対向反発する磁石が、該磁石同士が接触且つ離間し得るように固定することにより更に指圧的効果を高めることができる（請求項９）
前記凹状体の底面は凸状に膨出した形状とし、該膨出部にロッドを立設した一方の磁石を固定し、該ロッドに嵌合する貫通孔を形成した他方の磁石を嵌合して若干離間した状態で、両磁石が接触且つ離間し得るように固定するとよい（請求項１０）。
【考案の効果】
【００１３】
本考案によれば、歩行中、足の指で弾性吸盤を押圧することにより排気し、押圧を解くことによって靴内空気を吸入するので、歩行中常に靴内空気を吸入し排気するから、極めて効果的に靴内空気を排気できる。また排気パイプは指の間に挟むので、優れた指圧的効果と指を広げることによる蒸れ防止効果を付与させることができる。
【考案を実施するための最良の形態】
【００１４】
以下、本考案の好ましい実施の形態を、添付図面に基づいて詳細に説明する。
【００１５】
図１に示すように、本考案による空気排気具は、半球状の弾力性吸盤１と、該吸盤１の排気口に連設した断面横長の可とう性排気パイプ２と、該排気パイプ２を足に固定する弾力性バンド３とから構成されている。
【００１６】
吸盤１には、図３に示すように、空気孔４，４′が形成され、同空気孔４，４′は、吸盤内周面に固定したシート状弁体５，５′により開閉し得るようになっている。即ち、吸盤１を押圧するときは、弁５，５′は閉じ、押圧を解くと、弁５，５′は開いて靴内空気を吸入するようになっている。
【００１７】
吸盤１の空気孔４，４′の上方には、円板状シート６が固定され、同円板状シート６には、中心で交差する３本の切断線７が形成されている。従って、吸盤２を押圧すると、８個の切断片８が上方に持ち上げられて空気は流出し、押圧を解くと、切断片８は元の位置に戻っているので、外気の吸盤１内への流入を防止することができる。
【００１８】
上記実施例のように切断線７を形成するかわりに、シートに排気孔を形成し、同排気孔にシート状弁体を、吸盤１の押圧により開き、押圧を解くと閉じるように設けることもできる。
【００１９】
パイプ２は、図１及び図２に示すように、巾方向の長孔９が形成されるように横長板状に形成されている。パイプ２の内面には、長さ方向に凸条１０を形成することにより、常にパイプの排気路を確保できると共に空気溜まりを小さくすることができる。
【００２０】
パイプ２の外周には、放電加工により植毛すると、パイプ２を指の間に挟んだ時の指圧効果を更に高めることができる。
【００２１】
パイプ２を埋設したバンド３の対向内面には、可とう性材料から形成された略お椀形の凹状体１１が固定されている。この凹状体１１により指圧効果を付与させることができる。
【００２２】
図５及び図６に示すように、凹状体１１には空気流通孔１２，１２′が形成され、内面には同流通孔１２，１２′を開閉するシート状弁体１３，１３′が固定されている。凹状体１１を押し潰した状態から膨らむときに、弁体１３，１３′が上方に持ち上げられて開き、空気が流入するようになっている。
【００２３】
凹状体１３の底面は、半球状の凸状１４に形成され、同凸状１４上端にはロッド１５を立設した円板状磁石１６が固定され、同ロッド１５にはリング状磁石１７が嵌合固定されている。円板状磁石１６とリング状磁石１７とは同極同士（マイナス同士又はプラス同士）が対向するようになっており、接触、離間し得るように若干間隔づけて固定されている。固定は、この実施例では金属製ロッド１５の上端をカシメルことにより行っている。このように構成されているので、歩行中多数回磁石が接触、離間を繰り返すことにより、足の土踏まず部に心地よいバイブレーションを与え優れた指圧効果を付与することができる。
【００２４】
本考案のバンド３は、ゴム等の弾性材料で単にリング状に形成するか、或いは帯状に形成して足に巻き付けた後、ベルフロファスナーで固定するようにすればよい。凹状体を使用することなく、同極同士の対向配置した磁石１６と１７とを筒状の袋に装入して、これをバンドに埋設し、磁石１６と１７が接触、離間し得るようにしてもよい。
【００２５】
同極同士を対向配置した磁石を、上記のように固定したバンド自体、優れた指圧具として使用することができる。
【００２６】
本考案の吸盤１及び凹状体１１は、ゴム又はプラスチック等の復原性を有する適当な弾性材料から形成することができ、本考案のパイプ２は、ゴム又はプラスチック等の可とう性材料から形成することができる。
【００２７】
本考案の吸盤１、凹状体１１及びパイプ２、特に吸盤１及び凹状体１１は抗菌剤を含有させた抗菌性プラスチックから形成するのが好ましい。
【００２８】
【図面の簡単な説明】
【００２９】
【図１】本考案の一実施例を示す断面図である。
【図２】図１のＡ−Ａ断面図である。
【図３】本考案の吸盤底面図である。
【図４】図３のＢ−Ｂ断面図である。
【図５】本考案の凹状体の平面図である。
【図６】図５のＣ−Ｃ断面図である。
【符号の説明】
【００３０】
１            吸盤
２            パイプ
３            バンド
４，４′      空気孔
５            シート状弁体
６            円板状シート
７            切断線
８            切断片
９            長孔
１０          凸条
１１          凹状体
１２，１２′  空気流通孔
１３，１３′  シート状弁体
１４          凸状
１６          円板状磁石
１７          リング状磁石
【図１】
0003119753.tif 000003
【図２】
0003119753.tif 000004
【図３】
0003119753.tif 000005
【図４】
0003119753.tif 000006
【図５】
0003119753.tif 000007
【図６】
0003119753.tif 000008